【手続補正書】
【提出日】平成22年2月23日(2010.2.23)
【手続補正１】
【補正対象書類名】特許請求の範囲
【補正対象項目名】全文
【補正方法】変更
【補正の内容】
【特許請求の範囲】
【請求項１】
追記型記録媒体に対してシーケンシャル記録を行うドライブ装置であって、
前記追記型記録媒体は、複数のＥＣＣクラスタを含み、
前記ドライブ装置は、
前記追記型記録媒体に対して記録動作または再生動作を行う記録再生部と、
前記記録再生部を制御するドライブ制御部と、
を含み、
前記ドライブ制御部は、
データが記録されるべき位置を少なくとも指定する記録指示を受け取ることと、
前記記録指示に従って行われるデータ記録が、追記であるか、第１回目の擬似上書き記録であるか、第２回目以降の擬似上書き記録であるかを決定することと、
その決定結果に応じた情報が設定された交替前位置情報を含むデータを生成することと、
前記データを前記追記型記録媒体の前記複数のＥＣＣクラスタのうちの１つに記録するように前記記録再生部を制御することと、
を少なくとも実行し、
前記ドライブ制御部は、
前記データ記録が追記であると決定された場合には、前記交替前位置情報に交替記録が行われていないことを示す情報を設定し、
前記データ記録が第１回目の擬似上書き記録であると決定された場合には、前記交替前位置情報に前記記録指示によって指定された位置を示す情報を設定し、
前記データ記録が第２回目以降の擬似上書き記録であると決定された場合には、前記交替前位置情報に前記記録指示によって指定された位置の交替先を示す情報を設定し、
前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、
前記ドライブ制御部は、
前記ＲＭＷ処理における再生時に再生エラーが発生した場合、前記交替前位置情報で示される位置に有効データが存在するかどうかを判定することと、
前記交替前位置情報で示される前記位置に前記有効データが存在すると判定した場合、前記交替前位置情報で示される前記位置の前記有効データを再生することにより再生エラーからの回復を行うこととを
少なくとも実行する、ドライブ装置。
【請求項２】
追記型記録媒体に対してシーケンシャル記録を行う記録方法であって、
前記追記型記録媒体は、複数のＥＣＣクラスタを含み、
データが記録されるべき位置を少なくとも指定する記録指示に従って行われるデータ記録が、追記であるか、第１回目の擬似上書き記録であるか、第２回目以降の擬似上書き記録であるかを決定することと、
その決定結果に応じた情報が設定された交替前位置情報を含むデータを生成することと、
前記データを前記追記型記録媒体の前記複数のＥＣＣクラスタのうちの１つに記録することと、
を少なくとも実行し、
前記データ記録が追記であると決定された場合には、前記交替前位置情報に交替記録が行われていないことを示す情報を設定し、
前記データ記録が第１回目の擬似上書き記録であると決定された場合には、前記交替前位置情報に前記記録指示によって指定された位置を示す情報を設定し、
前記データ記録が第２回目以降の擬似上書き記録であると決定された場合には、前記交替前位置情報に前記記録指示によって指定された位置の交替先を示す情報を設定し、
し、
前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、
前記ＲＭＷ処理における再生時に再生エラーが発生した場合、前記交替前位置情報で示される位置に有効データが存在するかどうかを判定し、
前記交替前位置情報で示される前記位置に前記有効データが存在すると判定した場合、前記交替前位置情報で示される前記位置の前記有効データを再生することにより再生エラーからの回復を行うことを
少なくとも実行する、記録方法。
【請求項３】
シーケンシャル記録が実行可能な追記型記録媒体であって、
前記追記型記録媒体は、複数のＥＣＣクラスタを含み、
データが記録されるべき位置を少なくとも指定する記録指示に従って行われるデータ記録が、追記であるか、第１回目の擬似上書き記録であるか、第２回目以降の擬似上書き記録であるかを決定することと、
その決定結果に応じた情報が設定された交替前位置情報を含むデータを生成することと、
前記データを前記追記型記録媒体の前記複数のＥＣＣクラスタのうちの１つに記録することと、
が少なくとも実行可能で、
前記データ記録が追記であると決定された場合には、前記交替前位置情報に交替記録が行われていないことを示す情報が設定され、
前記データ記録が第１回目の擬似上書き記録であると決定された場合には、前記交替前位置情報に前記記録指示によって指定された位置を示す情報が設定され、
前記データ記録が第２回目以降の擬似上書き記録であると決定された場合には、前記交替前位置情報に前記記録指示によって指定された位置の交替先を示す情報が設定され、
前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、
前記ＲＭＷ処理における再生時に再生エラーが発生した場合、前記交替前位置情報で示される位置に有効データが存在するかどうかが判定され、
前記交替前位置情報で示される前記位置に前記有効データが存在すると判定された場合、前記交替前位置情報で示される前記位置の前記有効データが再生されることにより再生エラーからの回復が行われることが
少なくとも実行される、追記型情報記録媒体。
【請求項４】
請求項３に記載の追記型記録媒体を再生する再生方法であって、
前記交替前位置情報を再生するステップと、
前記交替前位置情報に基づいて、前記ＥＣＣクラスタから情報を再生するステップと、を有する、再生方法。
【請求項５】
追記型記録媒体に記録されたデータを再生するドライブ装置であって、
前記追記型記録媒体は、複数のＥＣＣクラスタを含み、
前記複数のＥＣＣクラスタのそれぞれは、複数の物理セクタを含み、
前記複数のＥＣＣクラスタのそれぞれには、交替前位置情報が記録されており、
記録指示に従って行われたデータ記録が追記であった場合には、前記交替前位置情報には、交替記録が行われていないことを示す情報が設定されており、
前記記録指示に従って行われたデータ記録が第１回目の擬似上書き記録であった場合には、前記交替前位置情報には、前記記録指示によって指定された位置を示す情報が設定されており、
前記記録指示に従って行われたデータ記録が第２回目以降の擬似上書き記録であった場合には、前記交替前位置情報には、前記記録指示によって指定された位置の交替先を示す情報が設定されており、
前記複数の物理セクタのそれぞれには、属性情報が記録されており、前記属性情報には、第１の情報もしくは第２の情報が設定されており、
前記第１の情報は、前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、前記交替元ＥＣＣクラスタに含まれる物理セクタに記録されたデータの再生に失敗したために前記データを記録することができなかったことを示し、
前記第２の情報は、前記記録指示によって指定されたデータが１つのＥＣＣクラスタに対して不足するために前記データを記録することができなかったことを示し、
前記ドライブ装置は、
前記追記型記録媒体に対して記録動作または再生動作を行う記録再生部と、
前記記録再生部を制御するドライブ制御部と、
を含み、
前記ドライブ制御部は、
再生されるべきデータの位置を少なくとも指定する再生指示を受け取ることと、
前記再生指示によって指定された位置を含むＥＣＣクラスタが交替先ＥＣＣクラスタに既に交替されているか否かを決定することと、
前記再生指示によって指定された位置を含むＥＣＣクラスタが交替先ＥＣＣクラスタに既に交替されていると決定された場合には、前記交替先ＥＣＣクラスタに記録されたデータを再生するように前記記録再生部を制御することと、
前記再生されたデータの中に前記第１の情報が設定されている属性情報が含まれているか否かを決定することと、
前記再生されたデータの中に前記第１の情報が設定されている属性情報が含まれていると決定された場合には、前記交替先ＥＣＣクラスタに対応する前記交替前位置情報によって示される位置にあるＥＣＣクラスタに含まれる物理セクタであって、前記交替先ＥＣＣクラスタにおいて前記第１の情報が設定されている前記属性情報が記録されている物理セクタに対応する物理セクタに記録されたデータを再生するように前記記録再生部を制御することと
を少なくとも実行する、ドライブ装置。
【請求項６】
追記型記録媒体に記録されたデータを再生する再生方法であって、
前記追記型記録媒体は、複数のＥＣＣクラスタを含み、
前記複数のＥＣＣクラスタのそれぞれは、複数の物理セクタを含み、
前記複数のＥＣＣクラスタのそれぞれには、交替前位置情報が記録されており、
記録指示に従って行われたデータ記録が追記であった場合には、前記交替前位置情報には、交替記録が行われていないことを示す情報が設定されており、
前記記録指示に従って行われたデータ記録が第１回目の擬似上書き記録であった場合には、前記交替前位置情報には、前記記録指示によって指定された位置を示す情報が設定されており、
前記記録指示に従って行われたデータ記録が第２回目以降の擬似上書き記録であった場合には、前記交替前位置情報には、前記記録指示によって指定された位置の交替先を示す情報が設定されており、
前記複数の物理セクタのそれぞれには、属性情報が記録されており、前記属性情報には、第１の情報もしくは第２の情報が設定されており、
前記第１の情報は、前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、前記交替元ＥＣＣクラスタに含まれる物理セクタに記録されたデータの再生に失敗したために前記データを記録することができなかったことを示し、
前記第２の情報は、前記記録指示によって指定されたデータが１つのＥＣＣクラスタに対して不足するために前記データを記録することができなかったことを示し、
再生されるべきデータの位置を少なくとも指定する再生指示によって指定された位置を含むＥＣＣクラスタが交替先ＥＣＣクラスタに既に交替されているか否かを決定することと、
前記再生指示によって指定された位置を含むＥＣＣクラスタが交替先ＥＣＣクラスタに既に交替されていると決定された場合には、前記交替先ＥＣＣクラスタに記録されたデータを再生することと、
前記再生されたデータの中に前記第１の情報が設定されている属性情報が含まれている場合には、前記交替先ＥＣＣクラスタに対応する前記交替前位置情報によって示される位置にあるＥＣＣクラスタに含まれる物理セクタであって、前記交替先ＥＣＣクラスタにおいて前記第１の情報が設定されている前記属性情報が記録されている物理セクタに対応する物理セクタに記録されたデータを再生することと
を少なくとも実行する、再生方法。
【請求項７】
記録されたデータが再生される追記型記録媒体であって、
前記追記型記録媒体は、複数のＥＣＣクラスタを含み、
前記複数のＥＣＣクラスタのそれぞれは、複数の物理セクタを含み、
前記複数のＥＣＣクラスタのそれぞれには、交替前位置情報が記録されており、
記録指示に従って行われたデータ記録が追記であった場合には、前記交替前位置情報には、交替記録が行われていないことを示す情報が設定されており、
前記記録指示に従って行われたデータ記録が第１回目の擬似上書き記録であった場合には、前記交替前位置情報には、前記記録指示によって指定された位置を示す情報が設定されており、
前記記録指示に従って行われたデータ記録が第２回目以降の擬似上書き記録であった場合には、前記交替前位置情報には、前記記録指示によって指定された位置の交替先を示す情報が設定されており、
前記複数の物理セクタのそれぞれには、属性情報が記録されており、前記属性情報には、第１の情報もしくは第２の情報が設定されており、
前記第１の情報は、前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、前記交替元ＥＣＣクラスタに含まれる物理セクタに記録されたデータの再生に失敗したために前記データを記録することができなかったことを示し、
前記第２の情報は、前記記録指示によって指定されたデータが１つのＥＣＣクラスタに対して不足するために前記データを記録することができなかったことを示し、
再生されるべきデータの位置を少なくとも指定する再生指示によって指定された位置を含むＥＣＣクラスタが交替先ＥＣＣクラスタに既に交替されているか否かを決定することと、
前記再生指示によって指定された位置を含むＥＣＣクラスタが交替先ＥＣＣクラスタに既に交替されていると決定された場合には、前記交替先ＥＣＣクラスタに記録されたデータを再生することと、
前記再生されたデータの中に前記第１の情報が設定されている属性情報が含まれている場合には、前記交替先ＥＣＣクラスタに対応する前記交替前位置情報によって示される位置にあるＥＣＣクラスタに含まれる物理セクタであって、前記交替先ＥＣＣクラスタにおいて前記第１の情報が設定されている前記属性情報が記録されている物理セクタに対応する物理セクタに記録されたデータを再生することと
が少なくとも実行される、追記型情報記録媒体。
【請求項８】
追記型記録媒体に記録を行う記録方法であって、
前記追記型記録媒体は、複数のＥＣＣクラスタを含み、
前記複数のＥＣＣクラスタのそれぞれは、複数の物理セクタを含み、
前記複数のＥＣＣクラスタのそれぞれには、交替前位置情報が記録され、
記録指示に従って行われたデータ記録が追記であった場合には、前記交替前位置情報には、交替記録が行われていないことを示す情報が設定され、
前記記録指示に従って行われたデータ記録が第１回目の擬似上書き記録であった場合には、前記交替前位置情報には、前記記録指示によって指定された位置を示す情報が設定され、
前記記録指示に従って行われたデータ記録が第２回目以降の擬似上書き記録であった場合には、前記交替前位置情報には、前記記録指示によって指定された位置の交替先を示す情報が設定され、
前記複数の物理セクタのそれぞれには、属性情報が記録されており、前記属性情報には、第１の情報もしくは第２の情報が設定され、
前記第１の情報は、前記記録指示によって指定された位置を含む交替元ＥＣＣクラスタに記録されたデータを再生し、前記再生されたデータの少なくとも一部を修正し、前記修正されたデータを交替先ＥＣＣクラスタに記録するＲＭＷ処理において、前記交替元ＥＣＣクラスタに含まれる物理セクタに記録されたデータの再生に失敗したために前記データを記録することができなかったことを示し、
前記第２の情報は、前記記録指示によって指定されたデータが１つのＥＣＣクラスタに対して不足するために前記データを記録することができなかったことを示す、記録方法。